(57)【特許請求の範囲】
【請求項１】
入力領域および非入力領域を有した入力装置であって、
基体と、
前記入力領域に対応する前記基体の主面上に設けられた検出電極と、
前記非入力領域に対応する前記基体の主面上に設けられており、かつ前記検出電極と電気的に接続された複数の検出用配線と、
前記入力領域および前記非入力領域に対応する前記基体の主面上に配置された保護部材と、
平面視して複数の前記検出用配線と重なるように前記保護部材上に設けられた第１遮光膜と、
複数の前記検出用配線のうち少なくとも前記入力領域側に位置する検出用配線を覆うように前記基体の主面上に設けられた第２遮光膜と、
前記基体の主面上に設けられており、かつ複数の前記検出用配線を被覆する絶縁膜と、を備え、
前記第２遮光膜は、複数の前記検出用配線のうち少なくとも前記入力領域側に位置する検出用配線を覆うように前記基体の主面上および前記絶縁膜上に位置しているとともに、前記絶縁膜を被覆している、入力装置。
【請求項２】
前記第２遮光膜は、絶縁性を有しており、かつ複数の前記検出用配線を被覆する、請求項１に記載の入力装置。
【請求項３】
前記保護部材は、前記基体の主面に対し遠い側に位置する操作面、および該操作面の反対側に位置しかつ前記基体の主面に対し近い側に位置する背面を有しており、
前記第１遮光膜は、前記保護部材の前記背面上に設けられている、請求項１または２に記載の入力装置。
【請求項４】
請求項１〜３のいずれか一項に記載の入力装置と、
前記入力装置に対向して配置された表示パネルと、
前記表示パネルが収容された筐体と、を備えた表示装置。
【請求項５】
前記表示パネルは、液晶表示パネルまたは有機ＥＬパネルである、請求項４に記載の表示装置。
【請求項６】
請求項４または５に記載の表示装置を備えた携帯端末。
【発明の詳細な説明】
【技術分野】
【０００１】
本発明は、例えば、使用者が入力操作した箇所を入力位置として検出する入力装置、表示装置、および携帯端末に関する。
【背景技術】
【０００２】
入力装置としては、例えば、指と検出電極との間での静電容量の変化を捉えて入力位置を検出する静電容量方式のタッチパネルが知られている（例えば、特許文献１参照）。
【０００３】
上記の入力装置は、入力領域および非入力領域を有している。また、入力装置は、基体と、入力領域に対応する基体の主面上に設けられた検出電極と、非入力領域に対応する基体の主面上に設けられており、かつ検出電極と電気的に接続された複数の検出用配線と、を備えている。また、入力装置では、基体を保護するために、基体の主面上に保護部材を配置している。また、入力装置では、検出用配線が使用者に視認されないように、保護部材上に遮光膜を設けている。遮光膜は、平面視して複数の検出用配線と重なるように保護部材上に位置している。
【先行技術文献】
【特許文献】
【０００４】
【特許文献１】特開２００８−９７２８３号公報
【発明の概要】
【発明が解決しようとする課題】
【０００５】
しかしながら、上記従来の入力装置では、保護部材上に遮光膜を備えているものの、例えば、使用者が入力領域を斜めから覗き込んだ場合に、複数の検出用配線のうち入力領域側に位置する検出用配線が使用者に視認されてしまう可能性があった。検出用配線が使用者に視認されてしまう可能性を低減するためには、使用者が入力領域を斜めから覗き込んでも、検出用配線が使用者に視認されないように、検出用配線を入力領域からある程度離して配置する必要がある。しかしながら、この態用では、入力装置の非入力領域が大きくなり、入力装置が横方向に大型化する。
【０００６】
本発明は、上記の問題点に鑑みてなされたものであり、その目的は、検出用配線が使用者に視認されてしまう可能性を低減しつつ、小型化を実現することができる入力装置、表示装置、および携帯端末に関する。
【課題を解決するための手段】
【０００７】
本発明の入力装置における一態様は、入力領域および非入力領域を有した入力装置であって、基体と、前記入力領域に対応する前記基体の主面上に設けられた検出電極と、前記非入力領域に対応する前記基体の主面上に設けられており、かつ前記検出電極と電気的に接続された複数の検出用配線と、前記入力領域および前記非入力領域に対応する前記基体の主面上に配置された保護部材と、平面視して複数の前記検出用配線と重なるように前記保護部材上に設けられた第１遮光膜と、複数の前記検出用配線のうち少なくとも前記入力領域側に位置する検出用配線を覆うように前記基体の主面上に設けられた第２遮光膜と、前記基体の主面上に設けられており、かつ複数の前記検出用配線を被覆する絶縁膜と、を備え、前記第２遮光膜は、複数の前記検出用配線のうち少なくとも前記入力領域側に位置する検出用配線を覆うように前記基体の主面上および前記絶縁膜上に位置しているとともに、前記絶縁膜を被覆している。
【０００８】
本発明の表示装置における一態様は、本発明に係る入力装置と、前記入力装置に対向して配置された表示パネルと、前記表示パネルが収容された筐体と、を備える。
【０００９】
本発明の携帯端末における一態様は、本発明に係る表示装置を備える。
【発明の効果】
【００１０】
本発明の入力装置、表示装置、および携帯端末は、検出用配線が使用者に視認されてしまう可能性を低減しつつ、小型化を実現することができる、という効果を奏する。
【図面の簡単な説明】
【００１１】
【図１】第１の実施形態に係る入力装置の概略構成を示す平面図である。
【図２】第１の実施形態に係る入力装置の概略構成を示す平面図であって、保護部材を透視した図である。
【図３】図２中に示した切断線Ｉ−Ｉに沿って切断した断面図である。
【図４】図２中に示した切断線ＩＩ−ＩＩに沿って切断した断面図である。
【図５】図２中に示した切断線ＩＩＩ−ＩＩＩに沿って切断した断面図である。
【図６】第１の実施形態に係る入力装置の第１の変形例を示す断面図であって、図５と同じ部分を示す図である。
【図７】第１の実施形態に係る入力装置の第２の変形例を示す断面図であって、図５と同じ部分を示す図である。
【図８】第１の実施形態に係る入力装置の第３の変形例を示す断面図であって、図５と同じ部分を示す図である。
【図９】第１の実施形態に係る表示装置の概略構成を示す断面図である。
【図１０】第１の実施形態に係る携帯端末の概略構成を示す断面図である。
【図１１】第２の実施形態に係る入力装置の概略構成を示す平面図である。
【図１２】第２の実施形態に係る入力装置の概略構成を示す平面図であって、保護部材を透視した図である。
【図１３】図１２中に示した切断線ＩＶ−ＩＶに沿って切断した断面図である。
【発明を実施するための形態】
【００１２】
以下、本発明の実施形態について、図面を参照しながら説明する。
【００１３】
但し、以下で参照する各図は、説明の便宜上、本発明の一実施形態の構成部材のうち、本発明を説明するために必要な主要部材を簡略化して示したものである。したがって、本発明に係る入力装置、表示装置、および携帯端末は、本明細書が参照する各図に示されていない任意の構成部材を備え得る。
【００１４】
[実施の形態１]
図１および図２に示すように、本実施形態に係る入力装置Ｘ１は、投影型の静電容量方式のタッチパネルであって、入力領域Ｅ１および非入力領域Ｅ２を有している。入力領域Ｅ１は、使用者が入力操作をすることができる領域である。非入力領域Ｅ２は、使用者が入力操作をすることができない領域である。本実施形態に係る非入力領域Ｅ２は、入力領域Ｅ１を取り囲むように当該入力領域Ｅ１の外側に位置しているが、これに限らない。例えば、入力領域Ｅ１内に非入力領域Ｅ２が位置していてもよい。
【００１５】
なお、入力装置Ｘ１は、投影型の静電容量方式のタッチパネルに限らず、例えば、表面型の静電容量方式のタッチパネル、あるいは抵抗膜方式のタッチパネル等であってもよい。
【００１６】
図１〜図５に示すように、入力装置Ｘ１は、基体２を備えている。
【００１７】
基体２は、第１検出電極パターン３、第２検出電極パターン４、絶縁体５、検出用配線６、保護部材７、粘着材８、第１遮光膜９、絶縁膜１０、および第２遮光膜１１を支持す
る役割を有する。基体２は、主面２ａを有している。基体２は、絶縁性を有するとともに、基体２の主面２ａに交差する方向に入射する光に対して透光性を有する構成とされている。なお、本明細書において「透光性」とは、可視光に対する透過性を意味する。また、本実施形態に係る基体２は、平面視して、角部が丸みを帯びた略矩形状をなしているが、これに限らない。基体２は、平面視して、角部が丸みを帯びていない矩形状をなしていてもよいし、多角形状あるいは円形状をなしていてもよい。基体２の構成材料としては、例えば、ガラスあるいはプラスチック等が挙げられる。基体２の構成材料がガラスである場合、強度向上のため、イオン交換によって化学強化されたガラスを用いることが好ましい。
【００１８】
また、図２〜図４に示すように、入力領域Ｅ１に対応する基体２の主面２ａ上には、第１検出電極パターン３および第２検出電極パターン４が設けられている。
【００１９】
第１検出電極パターン３は、入力領域Ｅ１に対応する基体２の主面２ａに接近した使用者の指Ｆ１との間において静電容量を発生し、Ｙ方向における入力位置を検出する役割を有する。第１検出電極パターン３は、入力領域Ｅ１に対応する基体２の主面２ａ上に、Ｙ方向に並んで複数設けられている。また、第１検出電極パターン３は、第１検出電極３ａおよび第１電極間配線３ｂを有する。
【００２０】
第１検出電極３ａは、使用者の指Ｆ１との間において静電容量を発生する役割を有する。第１検出電極３ａは、Ｘ方向に並んで複数設けられている。第１電極間配線３ｂは、第１検出電極３ａ同士を電気的に接続する役割を有する。第１電極間配線３ｂは、隣り合う第１検出電極３ａの間に設けられている。
【００２１】
第２検出電極パターン４は、入力領域Ｅ１に対応する基体２の主面２ａに接近した使用者の指Ｆ１との間において静電容量を発生し、Ｘ方向における入力位置を検出する役割を有する。第２検出電極パターン４は、入力領域Ｅ１に対応する基体２の主面２ａ上に、Ｘ方向に並んで複数設けられている。また、第２検出電極パターン４は、第２検出電極４ａおよび第２電極間配線４ｂを有する。
【００２２】
第２検出電極４ａは、使用者の指Ｆ１との間において静電容量を発生する役割を有する。第２検出電極４ａは、Ｙ方向に並んで複数設けられている。第２電極間配線４ｂは、第２検出電極４ａ同士を電気的に接続する役割を有する。第２電極間配線４ｂは、隣り合う第２検出電極４ａの間において、第１電極間配線３ｂと電気的に絶縁するように、絶縁体５を跨ぐように当該絶縁体５上に設けられている。ここで、絶縁体５は、第１電極間配線３ｂを覆うように基体２の主面２ａ上に設けられている。本実施形態に係る絶縁体５は、基体２の主面２ａから保護部材７へ向かうに従ってその径が小さくなるように構成されている。絶縁体５の構成材料としては、例えば、アクリル樹脂、エポキシ樹脂、シリコーン樹脂、二酸化ケイ素、あるいは窒化珪素等の透明樹脂が挙げられる。
【００２３】
ここで、本実施形態に係る第１検出電極３ａおよび第２検出電極４ａは、平面視して略ひし形状をなしているが、これに限らず、多角形状あるいは円形状をなしていてもよい。第１検出電極３ａおよび第２検出電極４ａが平面視して略ひし形状をなしていれば、第１検出電極３ａおよび第２検出電極４ａの隙間を狭くすることができる。このため、基体２の主面２ａ上に設けられた第１検出電極３ａおよび第２検出電極４ａの面積を相対的に大きくすることができる。そのため、第１検出電極３ａおよび第２検出電極４ａと指Ｆ１との間において発生する静電容量を大きくすることができ、入力装置Ｘ１の検出感度が向上する。
【００２４】
上述の第１検出電極パターン３および第２検出電極パターン４の構成材料としては、透
光性を有する導電性部材が挙げられる。透光性を有する導電性部材としては、例えば、ＩＴＯ（Indium Tin Oxide）、ＩＺＯ（Indium Zinc Oxide）、ＡＴＯ（Al-Doped Zinc Oxide）、酸化錫、酸化亜鉛、あるいは導電性高分子等が挙げられる。
【００２５】
第１検出電極パターン３および第２検出電極パターン４の形成方法としては、例えば、上述の材料をスパッタリング法、蒸着法、あるいはＣＶＤ（Chemical Vapor Deposition
）法によって基体２の主面２ａ上に成膜する。そして、この膜の表面に感光性樹脂を塗布し、露光、現像、エッチング工程を経て、膜がパターニングされることで、第１検出電極パターン３および第２検出電極パターン４が形成される。
【００２６】
また、図２および図５に示すように、非入力領域Ｅ２に対応する基体２の主面２ａ上には、検出用配線６が設けられている。
【００２７】
検出用配線６は、第１検出電極パターン３および第２検出電極パターン４に対して電圧を印加する役割、および、第１検出電極パターン３および第２検出電極パターン４と指Ｆ１との間において発生した静電容量の変化を検出する役割を有する。本実施形態では、図２に示すように、検出用配線６は、基体２の一方の長辺側に位置する非入力領域Ｅ２、および基体２の一方の短辺側に位置する非入力領域Ｅ２にそれぞれ複数設けられている。また、検出用配線６は、その一端部が第１検出電極パターン３および第２検出電極パターン４と電気的に接続され、その他端部が外部導通領域Ｇ１に位置している。外部導通領域Ｇ１は、図示しないフレキシブル基板と接続される。このフレキシブル基板には、例えば、後述する位置検出ドライバが設けられている。
【００２８】
検出用配線６は、例えば、硬質で高い形状安定性を得るべく、金属薄膜で構成されている。金属薄膜としては、例えば、アルミニウム膜、アルミニウム合金膜、クロム膜とアルミニウム膜との積層膜、クロム膜とアルミニウム合金膜との積層膜、銀膜、銀合金膜、あるいは金合金膜が挙げられる。なお、金属薄膜を形成する方法としては、例えば、スパッタリング法、ＣＶＤ法、あるいは蒸着法等が挙げられる。
【００２９】
また、図３〜図５に示すように、入力領域Ｅ１および非入力領域Ｅ２に対応する基体２の主面２ａ上には、保護部材７が配置されている。
【００３０】
保護部材７は、使用者の指Ｆ１の接触によって基体２の主面２ａを傷付けないように保護する役割を有する。保護部材７は、基体２の主面２ａに対し遠い側に位置する操作面７ａ、および操作面７ａの反対側に位置しかつ基体２の主面２ａに対し近い側に位置する背面７ｂを有している。すなわち、保護部材７の操作面７ａが、使用者によって直接入力操作される面となる。本実施形態に係る保護部材７は、入力領域Ｅ１および非入力領域Ｅ２に対応する基体２の主面２ａの全面にわたって設けられている。具体的には、図５に示すように、保護部材７は、基体２の端面２ｂよりも外側にはみ出して設けられている。なお、保護部材７は、基体２の端面２ｂよりも内側に位置していてもよい。
【００３１】
また、保護部材７の背面７ｂは、粘着材８を介して基体２の主面２ａと接着されている。これにより、基体２と保護部材７とを接着することが可能となる。保護部材７の構成材料としては、例えば、ガラスあるいはプラスチック等が挙げられる。粘着材８の構成材料としては、例えば、アクリル系粘着材、シリコーン系粘着材、ゴム系粘着材、あるいはウレタン系粘着材等が挙げられる。
【００３２】
ここで、図１、図２、および図５に示すように、非入力領域Ｅ２に対応する保護部材７の背面７ｂ上には、第１遮光膜９が設けられている。第１遮光膜９は、基体２の主面２ａと交差する方向に入射する光を遮光する役割を有する。なお、本明細書において「遮光」
とは、反射あるいは吸収によって可視光を遮蔽することを意味する。本実施形態では、図２に示すように、第１遮光膜９は、平面視して複数の検出用配線６と重なるように保護部材７の背面７ｂ上に設けられている。なお、本明細書において「平面視して複数の検出用配線６と重なるように」とは、平面視して複数の検出用配線６の全部と重なっていてもよいし、平面視して複数の検出用配線６の一部と重なっていてもよい、という意味である。保護部材７の背面７ｂ上に第１遮光膜９が設けられているので、検出用配線６が使用者に視認されてしまう可能性を低減することができる。
【００３３】
なお、本実施形態では、第１遮光膜９は、非入力領域Ｅ２に対応する保護部材７の背面７ｂの全面にわたって設けられているが、これに限らない。すなわち、検出用配線６が使用者に視認されてしまう可能性を低減することができれば、第１遮光膜９は、非入力領域Ｅ２に対応する保護部材７の背面７ｂの一部に設けられていてもよい。
【００３４】
また、上記では、第１遮光膜９は、非入力領域Ｅ２に対応する保護部材７の背面７ｂ上に設けられている例について説明したが、これに限らない。すなわち、第１遮光膜９は、非入力領域Ｅ２に対応する保護部材７の操作面７ａ上に設けられていてもよい。但し、本実施形態のように、第１遮光膜９が保護部材７の背面７ｂ上に設けられていると、保護部材７の操作面７ａを略平坦な面とすることが可能となり、入力装置Ｘ１のデザイン性が向上する。
【００３５】
第１遮光膜９の構成材料としては、樹脂材料に着色材料を含んだものが挙げられる。樹脂材料としては、例えば、アクリル系樹脂、エポキシ系樹脂、あるいは二酸化ケイ素等が挙げられる。着色材料としては、例えば、カーボン、チタン、あるいはクロム等が挙げられる。なお、第１遮光膜９は、黒色に限らず、黒色以外の色を着色していてもよい。第１遮光膜９を形成する方法としては、例えば、スクリーン印刷法、スパッタリング法、ＣＶＤ法、あるいは蒸着法等が挙げられる。
【００３６】
さらに、図５に示すように、非入力領域Ｅ２に対応する基体２の主面２ａ上には、絶縁膜１０および第２遮光膜１１が設けられている。
【００３７】
絶縁膜１０は、検出用配線６を水分の吸湿による腐食から保護する役割を有する。このため、絶縁膜１０は、検出用配線６を被覆している。本実施形態では、絶縁膜１０は、複数の検出用配線６の全てを被覆している。また、絶縁膜１０は、検出用配線６と第２遮光膜１１とを電気的に絶縁する役割も有する。絶縁膜１０の構成材料としては、例えば、アクリル系樹脂、エポキシ系樹脂、あるいは二酸化ケイ素、窒化珪素等の透明樹脂が挙げられる。絶縁膜１０を形成する方法としては、例えば、転写印刷法、スピンコート法、あるいはスリットコート法等が挙げられる。
【００３８】
第２遮光膜１１は、基体２の主面２ａと交差する方向に入射する光を遮光する役割を有する。また、第２遮光膜１１は、絶縁膜１０を水分の吸湿による腐食から保護する役割も有する。このため、第２遮光膜１１は、絶縁膜１０を被覆している。第２遮光膜１１の構成材料および形成方法としては、第１遮光膜９と同様のものが挙げられる。なお、第２遮光膜１１は、第１遮光膜９と異なる色を着色して形成してもよい。
【００３９】
ここで、仮に、上記従来の入力装置のように、上記のような第２遮光膜１１が設けられていない場合を考える。この場合、例えば、使用者が入力領域を斜めから覗き込んだ場合に、複数の検出用配線のうち入力領域側に位置する検出用配線が使用者に視認されてしまう可能性があった。検出用配線が使用者に視認されてしまう可能性を低減するためには、使用者が入力領域を斜めから覗き込んでも、検出用配線が使用者に視認されないように、検出用配線を入力領域からある程度離して配置する必要がある。すなわち、図５に示すよ
うに、第１遮光膜９の入力領域Ｅ１側の端部９ａと複数の検出用配線６のうち入力領域Ｅ１側に位置する検出用配線６ａとの距離Ｌ１を大きく設定する必要がある。しかしながら、この態用では、入力装置の非入力領域が大きくなり、入力装置が横方向に大型化する。
【００４０】
これに対して、入力装置Ｘ１では、第２遮光膜１１は、複数の検出用配線６のうち少なくとも入力領域Ｅ１側に位置する検出用配線６ａを覆うように基体２の主面２ａ上に設けられている。なお、本明細書において「検出用配線６ａを覆う」とは、検出用配線６ａの全部を覆っている必要はなく、検出用配線６ａの一部を覆っていてもよい、という意味である。また、「検出用配線６ａを覆う」とは、検出用配線６ａを直接的に覆っている必要はなく、検出用配線６ａを間接的に覆っていてもよい、という意味でもある。本実施形態では、第２遮光膜１１は、絶縁膜１０を被覆している。このため、例えば、使用者が入力領域Ｅ１を斜めから覗き込んでも、第２遮光膜１１によって、複数の検出用配線６のうち少なくとも入力領域Ｅ１側に位置する検出用配線６ａが使用者に視認されてしまう可能性を低減することができる。また、入力装置Ｘ１では、第２遮光膜１１は、複数の検出用配線６のうち少なくとも入力領域Ｅ１側に位置する検出用配線６ａを覆うように設けられているので、図５に示すＬ１を小さく設定することが可能となる。
【００４１】
なお、上記では、第２遮光膜１１は、絶縁膜１０を被覆している例について説明したが、これに限らない。例えば、図６に示すように、第２遮光膜１１は、絶縁膜１０の一部を被覆していてもよい。すなわち、第２遮光膜１１が、複数の検出用配線６のうち少なくとも入力領域Ｅ１側に位置する検出用配線６ａを覆うように基体２の主面２ａ上に設けられていれば、第２遮光膜１１の形状、位置等には特に限定されない。また、例えば、図７に示すように、第１遮光膜９と第２遮光膜１１とが互いに接続されていてもよい。このようにすると、第１遮光膜９または第２遮光膜１１の厚みが大きくなるとともに、第１遮光膜９と第２遮光膜１１との間に粘着材８が存在しなくなるため、検出用配線６が使用者に視認されてしまう可能性をより低減することができる。さらに、例えば、図８に示すように、第１遮光膜９の入力領域Ｅ１側の端部９ａが、入力領域Ｅ１側に位置する検出用配線６ａよりも外側に位置していてもよい。
【００４２】
次に、入力装置Ｘ１の検出原理について説明する。
【００４３】
図示しない位置検出ドライバは、外部導通領域Ｇ１に位置する検出用配線６と電気的に接続されている。なお、この位置検出ドライバは、電源装置を備えている。位置検出ドライバの電源装置は、第１検出電極パターン３および第２検出電極パターン４に電圧を供給している。ここで、入力領域Ｅ１に対応する基体２の主面２ａに、保護部材７を介して導電体である指Ｆ１が接近すると、指Ｆ１と第１検出電極３ａおよび第２検出電極４ａとの間において静電容量が発生する。位置検出ドライバは、第１検出電極パターン３および第２検出電極パターン４において発生する静電容量を常に検出しており、所定値以上の静電容量を検出した第１検出電極パターン３および第２検出電極パターン４の組合せによって、使用者が入力操作を行った入力位置を検出する。このようにして、入力装置Ｘ１は、入力位置を検出することができる。
【００４４】
以上のように、入力装置Ｘ１では、検出用配線６が使用者に視認されてしまう可能性を低減しつつ、小型化を実現することができる。
【００４５】
次に、入力装置Ｘ１を備えた表示装置Ｙ１について、図９を参照しながら説明する。
【００４６】
図９に示すように、本実施形態に係る表示装置Ｙ１は、入力装置Ｘ１と、入力装置Ｘ１に対向して配置される液晶表示装置Ｚ１とを備えている。
【００４７】
液晶表示装置Ｚ１は、液晶パネル１０１、バックライト１０２、および第１筐体１０３を備えている。
【００４８】
液晶パネル１０１は、表示のために液晶組成物を利用した表示パネルである。なお、液晶パネル１０１の代わりに、プラズマパネル、有機ＥＬパネル、電子ペーパ等の表示パネルを用いてもよい。ここで、有機ＥＬパネルは、電圧を印加すると発光する物質を利用した表示パネルである。具体的には、有機ＥＬパネルは、ジアミン類等の有機物を用いた発光体を基板に蒸着し、５〜１０Ｖの直流電圧を印加することで表示が行われる。なお、液晶パネル２の代わりに有機ＥＬパネルを用いた場合には、バックライト１０２は不要となる。
【００４９】
バックライト１０２は、光源１０２ａおよび導光板１０２ｂを備えている。光源１０２ａは、導光板１０２ｂに向けて光を出射する役割を担う部材であり、例えば、ＬＥＤ（Light Emitting Diode）から構成される。なお、ＬＥＤの代わりに、冷陰極蛍光ランプ、ハロゲンランプ、キセノンランプ、ＥＬ（Electro-Luminescence）であってもよい。導光板１０２ｂは、液晶パネル１０１の下面全体にわたって、光源１０２ａからの光を略均一に導くための役割を担う部材である。
【００５０】
第１筐体１０３は、液晶パネル１０１およびバックライト１０２を収容する役割を担うものであり、上側筐体１０３ａおよび下側筐体１０３ｂを備えている。第１筐体１０３の構成材料としては、例えば、ポリカーボネート等の樹脂、あるいは、ステンレス、アルミニウム等の金属が挙げられる。
【００５１】
ここで、入力装置Ｘ１と液晶表示装置Ｚ１とは、両面テープ１０４を介して接着される。すなわち、入力装置Ｘ１における基体２の主面２ａと反対側に位置する面が液晶パネル１０１の主面に対向して配置されるように、入力装置Ｘ１と液晶表示装置Ｚ１とが、両面テープ１０４を介して接着される。なお、入力装置Ｘ１と液晶表示装置Ｚ１との固定方法に使用される固定用部材は両面テープ１０４には限られず、例えば、熱硬化性樹脂、紫外線硬化性樹脂等の接着部材、あるいは入力装置Ｘ１と液晶表示装置Ｚ１とを物理的に固定する固定構造体であってもよい。また、入力装置Ｘ１と液晶表示装置Ｚ１とは、互いに接して配置されていてもよいし、隙間を空けて配置されていてもよい。
【００５２】
このように、入力装置Ｘ１は、液晶表示装置Ｚ１の液晶パネル１０１を透視しながら、入力装置Ｘ１の入力領域Ｅ１を入力操作することによって、各種の情報を入力することができる。なお、各種の情報を入力する際に、情報を入力した使用者に対して、押圧感、なぞり感、肌触り感等の様々な触感を呈示する機能を入力装置Ｘ１に付与してもよい。この場合、入力装置Ｘ１における基体２に、１または複数の振動体（例えば、圧電素子等）を備え、所定の入力操作あるいは所定の押圧荷重を検知した場合に、当該振動体を所定の周波数で振動させることで実現することができる。
【００５３】
表示装置Ｙ１は、入力装置Ｘ１を備えているので、検出用配線６が使用者に視認されてしまう可能性を低減しつつ、小型化を実現することができる。
【００５４】
次に、表示装置Ｙ１を備えた携帯端末Ｐ１について、図１０を参照しながら説明する。
【００５５】
図１０に示すように、本実施形態に係る携帯端末Ｐ１は、例えば、携帯電話、スマートフォン、ＰＤＡ（Personal Digital Assistant）等であって、表示装置Ｙ１と、音声入力部２０１と、音声出力部２０２と、キー入力部２０３と、第２筐体２０４とを備えている。
【００５６】
音声入力部２０１は、例えば、マイク等により構成されており、使用者の音声等が入力される。音声出力部２０２は、スピーカ等により構成されており、相手方からの音声等が出力される。キー入力部２０３は、例えば、機械的なキーにより構成される。なお、キー入力部２０３は、表示画面に表示された操作キーであってもよい。第２筐体２０４は、表示装置Ｙ１、音声入力部２０１、音声出力部２０２、およびキー入力部２０３を収容する役割を担う部材である。
【００５７】
他にも、携帯端末Ｐ１は、必要な機能に応じて、デジタルカメラ機能部、ワンセグ放送用チューナ、赤外線通信機能部等の近距離無線通信部、および各種インタフェース等を備える場合もあるが、これらの詳細についての図示および説明は省略する。
【００５８】
携帯端末Ｐ１は、表示装置Ｙ１を備えているので、検出用配線６が使用者に視認されてしまう可能性を低減しつつ、小型化を実現することができる。
【００５９】
なお、上記では、携帯端末Ｐ１に音声入力部２０１を備えている例について説明したが、これに限らない。すなわち、携帯端末Ｐ１には音声入力部２０１は備えられていなくともよい。
【００６０】
また、上記では、携帯端末Ｐ１は、表示装置Ｙ１、音声入力部２０１、音声出力部２０２、およびキー入力部２０３を収容する第２筐体２０４を備えている例について説明したが、これに限らない。第２筐体２０４を別個独立に設けることなく、表示装置Ｙ１における第１筐体１０３が携帯端末Ｐ１の筐体となる態様であってもよい。
【００６１】
さらに、表示装置Ｙ１は、上記の携帯端末Ｐ１の代わりに、産業用途で使用されるプログラマブル表示器、電子手帳、パーソナルコンピュータ、複写機、ゲーム用の端末装置、テレビ、デジタルカメラ等の種々の電子機器に備えられていてもよい。
【００６２】
[実施の形態２]
図１１は、本実施形態に係る入力装置Ｘ２の概略構成を示す平面図である。図１２は、本実施形態に係る入力装置Ｘ２の概略構成を示す平面図であって、保護部材７を透視した図である。図１３は、図１２中に示したＩＶ−ＩＶ線断面図である。なお、図１１〜１３において、図１、図２、および図５と同様の機能を有する構成については、同じ参照符号を付記し、その詳細な説明は省略する。
【００６３】
図１３に示すように、入力装置Ｘ２では、入力装置Ｘ１が備える第２遮光膜１１の代わりに、第２遮光膜１２を備えている。また、入力装置Ｘ２では、入力装置Ｘ１が備える絶縁膜１０は設けられていない。
【００６４】
第２遮光膜１２は、検出用配線６を被覆している。本実施形態では、第２遮光膜１２は、複数の検出用配線６の全てを被覆している。このため、第２遮光膜１２は、検出用配線６同士を電気的に絶縁するために、絶縁性を有している。第２遮光膜１２の構成材料としては、例えば、樹脂材料にチタンを含んだものが挙げられる。
【００６５】
入力装置Ｘ２では、第２遮光膜１２は、複数の検出用配線６のうち少なくとも入力領域Ｅ１側に位置する検出用配線６ａを覆うように基体２の主面２ａ上に設けられている。このため、例えば、使用者が入力領域Ｅ１を斜めから覗き込んでも、第２遮光膜１２によって、複数の検出用配線６のうち少なくとも入力領域Ｅ１側に位置する検出用配線６ａが使用者に視認されてしまう可能性を低減することができる。また、入力装置Ｘ２では、第２遮光膜１２は、複数の検出用配線６のうち少なくとも入力領域Ｅ１側に位置する検出用配線６ａを覆うように設けられているので、図１３に示すＬ１を小さく設定することが可能
となる。また、入力装置Ｘ２では、入力装置Ｘ１のように絶縁膜１０を設ける必要がないので、製造工程の簡略化およびコストを低減することができる。
【００６６】
なお、実施の形態１では、入力装置Ｘ１を備えた表示装置Ｙ１の例について説明したが、入力装置Ｘ１に代えて、入力装置Ｘ２を採用してもよい。また、入力装置Ｘ２を採用した表示装置を備えた携帯端末を採用してもよい。さらに、上述した実施形態は適宜に組み合わせてもよい。
【符号の説明】
【００６７】
Ｘ１，Ｘ２  入力装置
Ｙ１  表示装置
Ｐ１  携帯端末
２  基体
３ａ  第１検出電極
４ａ  第２検出電極
６  検出用配線
７  保護部材
９  第１遮光膜
１０  絶縁膜
１１，１２  第２遮光膜
１０１  液晶パネル（表示パネル）
１０３  第１筐体（筐体）
【図１】
0005812877.tif 000002
【図２】
0005812877.tif 000003
【図３】
0005812877.tif 000004
【図４】
0005812877.tif 000005
【図５】
0005812877.tif 000006
【図６】
0005812877.tif 000007
【図７】
0005812877.tif 000008
【図８】
0005812877.tif 000009
【図９】
0005812877.tif 000010
【図１０】
0005812877.tif 000011
【図１１】
0005812877.tif 000012
【図１２】
0005812877.tif 000013
【図１３】
0005812877.tif 000014